(57)【要約】      （修正有）【課題】患者状況の診断をいっそう効率的に行えるよう、生理学信号を視覚的に表示する方法および装置を提供する。【解決手段】生理学信号から時系列信号を取得し、この時系列信号から患者状況を識別し、人体の３Ｄ画像を表示し、この人体の３Ｄ画像上に患者状況を表すビジュアルインジケータを表示する。時系列信号は血圧、血中酸素飽和度、心拍数、呼吸数であり、ビジュアルインジケータは患者の３Ｄ像の色を変化させたり輝度を変化させる。また、クリティカルな場合は可聴警報を発する。【選択図】図２
2007021213.tif 000002
【特許請求の範囲】
【請求項１】
生理学信号から時系列信号を取得するステップと、
該時系列信号から患者状況を識別するステップと、
人体の３Ｄ画像を表示するステップと、
該人体の３Ｄ画像上に患者状況を表すビジュアルインジケータを表示するステップと
を有する
ことを特徴とする生理学信号の解剖学的ビジュアライゼーション方法。
【請求項２】
時系列信号から患者状況を識別するステップにおいて、
あらかじめ定められた時間範囲にわたって周期的に、振幅の移動平均、振幅最小値、振幅最大値および傾き情報のいずれかを含む時系列信号の統計を抽出し、
抽出された統計と患者状況に相応にあらかじめ定められた統計モデルライブラリとを比較して適合するか否かを判別し、
適合すると判別された場合に患者状況を出力する、
請求項１記載の方法。
【請求項３】
ビジュアルインジケータは相応の生理学信号を表す３Ｄ解剖学的構造である、請求項１記載の方法。
【請求項４】
３Ｄ解剖学的構造の周期的な色または輝度の変化により患者状況がクリティカル状態にあることまたはクリティカル状態に近づいていることを表す、請求項３記載の方法。
【請求項５】
３Ｄ解剖学的構造の一定の色により患者状況が安定していることを表す、請求項３記載の方法。
【請求項６】
生理学信号が血圧信号である場合、３Ｄ解剖学的構造は血管を含む、請求項３記載の方法。
【請求項７】
生理学信号が血中酸素飽和度信号である場合、３Ｄ解剖学的構造は皮膚を含む、請求項３記載の方法。
【請求項８】
生理学信号が心拍数信号である場合、３Ｄ解剖学的構造は心臓を含む、請求項３記載の方法。
【請求項９】
生理学信号が呼吸数信号である場合、３Ｄ解剖学的構造は肺を含む、請求項３記載の方法。
【請求項１０】
患者状況がきわめてクリティカルである場合、可聴警報を出力する、請求項１記載の方法。
【請求項１１】
人体の３Ｄ画像をコンピュータトモグラフィデータから導出する、請求項１記載の方法。
【請求項１２】
複数の生理学信号から複数の時系列信号を取得するステップと、
該複数の時系列信号から複数の患者状況を識別するステップと、
人体の３Ｄ画像を表示するステップと、
該人体の３Ｄ画像上に複数の患者状況を表す複数のビジュアルインジケータを表示するステップと
を有する
ことを特徴とする複数の生理学信号のビジュアライゼーション方法。
【請求項１３】
複数の時系列信号から複数の患者状況を識別するステップにおいて、
あらかじめ定められた時間範囲にわたって周期的に、振幅の移動平均、振幅最小値、振幅最大値および傾き情報のいずれかを含む時系列信号の統計を抽出し、
抽出された統計と患者状況に相応にあらかじめ定められた統計モデルライブラリとを比較して適合するか否かを判別し、
適合すると判別された場合に患者状況を出力する、
請求項１２記載の方法。
【請求項１４】
各ビジュアルインジケータは相応の生理学信号を表す３Ｄ解剖学的構造である、請求項１２記載の方法。
【請求項１５】
３Ｄ解剖学的構造の周期的な色または輝度の変化により患者状況がクリティカル状態にあることまたはクリティカル状態に近づいていることを表す、請求項１４記載の方法。
【請求項１６】
３Ｄ解剖学的構造の一定の色により患者状況が安定していることを表す、請求項１４記載の方法。
【請求項１７】
ディジタル処理装置に対して請求項１２記載の複数の生理学信号のビジュアライゼーション方法を実行するためのプログラム命令を記憶している
ことを特徴とするコンピュータ読み取り可能媒体。
【請求項１８】
複数の生理学信号から複数の時系列信号を形成する時系列信号形成ユニットと、
複数の時系列信号を分析して患者状況データを形成する患者状況分析ユニットと、
患者状況データを３Ｄ人体テンプレート画像上に３Ｄ解剖学的構造として表示するディスプレイユニットと
を有する
ことを特徴とする複数の生理学信号のビジュアライゼーション装置。
【請求項１９】
３Ｄ解剖学的構造は相応のいずれかの生理学信号を表している、請求項１８記載の装置。
【請求項２０】
患者状況データがクリティカル状態を示す場合に３Ｄ解剖学的構造の色または輝度が周期的に変化される、請求項１８記載の装置。
【請求項２１】
患者状況データが安定状態を示す場合に３Ｄ解剖学的構造の色が一定に保持される、請求項１８記載の装置。
【請求項２２】
患者状況データがきわめてクリティカルな状態を示す場合に可聴警報を出力するアラームユニットが設けられている、請求項１８記載の装置。
【発明の詳細な説明】
【技術分野】
【０００１】
関連出願へのクロスリファレンス
本出願は2005年7月14日付米国仮出願第60/699419号明細書の優先権を主張するものであり、この明細書の開示内容は本出願の内容に関連する。
【背景技術】
【０００２】
１．技術分野
本発明は一般的には医療イメージングに関しており、より詳細にはオンラインモニタリングのための生理学信号の３Ｄビジュアライゼーションに関する。
【０００３】
２．関連する従来技術
生理学信号のモニタリングはふつう、心拍数、呼吸数、血中酸素飽和度、血圧などの時系列信号を視覚化する（以下ビジュアライゼーションとも称する）ことにより実現されている。これらのデータは、患者が生理学的にクリティカルな状態に陥ったときに警報をトリガするため、クリティカル状態の識別に用いられている。既存のＩＣＵモニタリングシステムの画面が図１に示されている。
【０００４】
こうしたモニタリングシステムのユーザ、例えば医師および看護師は、所定の時間範囲にわたってプロットされた時系列信号を目で見て検討し、患者の現在状態を識別ないしは監視しなければならない。時系列信号はパターンや種々のチャネル間の関係が複雑であることが多く、特にプロットの時間範囲が数秒程度である場合には、専門家であっても直ちには判断が難しい。また、複数の時系列信号が存在すると、ユーザにはどの信号がどの生理学的状況またはどの器官に対応するのか瞬時に明らかにならない。なぜなら通常はプロットデータとその解釈とのあいだの論理関係はテキストレーベルでしか表現されないからである。
【発明の開示】
【発明が解決しようとする課題】
【０００５】
本発明の課題は、患者状況の診断をいっそう効率的に行えるよう、生理学信号を視覚的に表示する方法および装置を提供することである。
【課題を解決するための手段】
【０００６】
この課題は、生理学信号から時系列信号を取得し、この時系列信号から患者状況を識別し、人体の３Ｄ画像を表示し、この人体の３Ｄ画像上に患者状況を表すビジュアルインジケータを表示することにより解決される。
【発明を実施するための最良の形態】
【０００７】
有利な実施形態によれば、ビジュアルインジケータは相応の生理学信号を表す３Ｄ解剖学的構造である。３Ｄ解剖学的構造の周期的な色または輝度の変化により患者状況がクリティカルであることまたはクリティカル状態に近づいていることが表される。患者状況がきわめてクリティカルである場合、可聴警報が出力される。人体の３Ｄ画像はコンピュータトモグラフィデータから導出される。
【０００８】
また本発明の複数の生理学信号のビジュアライゼーション方法によれば、複数の生理学信号から複数の時系列信号が取得され、これら複数の時系列信号から複数の患者状況が識別され、人体の３Ｄ画像が表示され、この人体の３Ｄ画像上に複数の患者状況を表す複数のビジュアルインジケータが表示される。
【０００９】
さらに本発明の複数の生理学信号のビジュアライゼーション装置は、複数の生理学信号から複数の時系列信号を形成する時系列信号形成ユニットと、複数の時系列信号を分析して患者状況データを形成する患者状況分析ユニットと、患者状況データを３Ｄ人体テンプレート画像上に３Ｄ解剖学的構造として表示するディスプレイユニットとを有する。
【実施例】
【００１０】
添付図を参照しながら本発明を詳細に説明する。図中、相応する要素には相応する参照番号を付してある。
【００１１】
図示の実施例を説明する。以下では、わかりやすくするために、本発明の実際の構成の全ての特徴を挙げてはいない。もちろん実際の適用においては、特定の目的の達成、すなわちシステム上の制約または業務上の制約を満足するために、種々の構成ないしは設計の決定が可能である。このために開発は複雑となり時間がかかるかもしれないが、当該分野の技術者であれば可能となるはずである。
【００１２】
本発明は種々の修正態様および選択態様を含むものの、以下ではそのうち図示の実施例にかぎって説明する。ただしここに挙げる実施例は本発明を特定の態様に限定するものではないと理解されたい。特許請求の範囲に規定された本発明の範囲内の種々の修正または変更も本発明に含まれる。
【００１３】
さらに、ここで説明する方法および装置は種々の形態のハードウェア、ソフトウェア、ファームウェア、専用プロセッサまたはこれらの組み合わせによって実現することができる。特に本発明の少なくとも一部は、有利には、１つまたは複数のプログラム記憶装置、例えばハードディスク、磁気フロッピーディスク、ＲＡＭ、ＲＯＭ、ＣＤＲＯＭなどにアクセス可能に組み込まれたプログラム命令を含むアプリケーションとして実現され、適切なアーキテクチャを含むデバイスまたはマシン、例えばプロセッサ、メモリ、入出力インタフェースを含む汎用ディジタルコンピュータによって実行される。添付図には幾つかの装置コンポーネントおよびプロセスステップが示されているが、これらの少なくとも一部もソフトウェアとして実現可能であり、装置モジュール間の接続またはプロセスステップの論理フロー間の関係は本発明のプログラミングの形式に依存して定まる。これらのことは当該分野の技術者であれば本明細書から読み取って種々に構成できるはずである。
【００１４】
図２には本発明の生理学信号の解剖学的ビジュアライゼーション方法のフローチャートが示されている。
【００１５】
図２によれば、ステップ２０１で生理学信号から時系列信号が取得される。生理学信号はバイオメディカルセンサ装置または他の適切なデータ収集装置を介して人体から導出される。生理学信号はノイズ抑圧または正規化のためにフィルタリングされていてもよい。生理学信号が所定の時間にわたってプロットされると、時系列信号が生じる。
【００１６】
ステップ２０２では、時系列信号から患者状況が識別される。患者状況を識別するプロセスは生理学信号に依存して種々に異なる。なぜなら各生理学信号はそれぞれ非常に異なる時系列信号を形成するからである。さらに、特定の時系列信号をバイオメディカル信号の分析の分野における知識に基づいて分析する手法にも種々のものが存在する。患者状況は、所定の時間にわたって時系列信号から周期的に統計を抽出することにより識別される。この抽出統計は、特定の患者状況に相応にあらかじめ定められた統計モデルライブラリと比較される。例として統計は、所定の時間にわたる移動平均、最小値、最大値および傾き情報（信号の上昇傾向または下降傾向）などを含む。統計モデルが抽出統計に一致する場合、患者状況が識別される。ただし本発明はこの識別プロセスのみに限定されない。
【００１７】
ステップ２０３では、人体の３Ｄ画像が表示される。人体の３Ｄ画像は、生理学信号の導出された患者の実際の身体とほぼ同一であるか、または患者の性別および年齢に基づく一般的な人体テンプレートのセットから選択される。
【００１８】
ステップ２０４では、患者状況のビジュアルインジケータが人体の３Ｄ画像上に表示される。これにより生理学的状況が表される。ビジュアルインジケータは生理学信号に相応する器官の３Ｄ画像であるか、または他の視覚表示グラフィックスである。
【００１９】
本発明の態様として、複数の生理学信号を視覚化するためのコンピュータコードを含むコンピュータ読み取り可能媒体を挙げることができる。このコンピュータ読み取り可能媒体は、複数の生理学信号から複数の時系列信号を取得させるコンピュータコードと、複数の時系列信号から複数の患者状況を識別させる複数のコンピュータコードと、人体の３Ｄ画像を表示させるコンピュータコードと、人体の３Ｄ画像上に複数の患者状況を表す複数のビジュアルインジケータを表示させるコンピュータコードとを有する。
【００２０】
図３のａ，ｂには、本発明の方法にしたがって形成された呼吸数としての生理学信号の３Ｄ解剖学的ビジュアライゼーションが示されている。
【００２１】
図３のａ，ｂでは、人体テンプレートおよび肺の３Ｄ画像が使用されており、幼児患者の呼吸数が表されている。この図で表示されている人体テンプレートは幼児のものであるが、本発明はこれに限定されず、成人および青少年を含むあらゆるタイプの患者に適用可能である。例えば成人女性、成人男性、少女、少年、幼児などの一般的な人体テンプレートを使用することにより、人体テンプレートは全体として患者に類似する。また、いっそう正確に患者を描写するために、人体テンプレートを実際の患者のコンピュータトモグラフィデータから導出することもできる。図３のａの肺の３Ｄ画像は幼児患者の呼吸数が正常または安定であることを示している。本発明の実施例によれば、人体テンプレート上の肺の３Ｄ画像は正常呼吸または安定呼吸を示す色で表示されている。呼吸数が正常範囲から外れるとき、例えばクリティカル値を下回ったり、ゼロになったりしたときには、図３のｂの画像が表示される。ここでは肺の３Ｄ画像は当該の幼児の呼吸が注意の必要なクリティカル状態にあること、または患者の呼吸が弱くなってクリティカル状態に近づきつつあることを示す色で表示されている。
【００２２】
正常呼吸または異常呼吸を示すために複数の色を使用することができる。異常呼吸を示す色を所定の速度で点滅させ、診断を行う視覚的手がかりとすることもできる。この点滅は、１つの色を周期的に異なる強度または輝度で表示することにより行われる。ただし本発明は、異常状態またはクリティカル状態を示すのに、色を変化させる手段のみに限定されない。描画された解剖学的構造のテクスチャを使用して安定状態と異常状態またはクリティカル状態とを区別することができる。例えば、安定しているときには肺の３Ｄ画像を透明表示し、異常状態またはクリティカル状態ではこれをハッチングパターンで表示する。また、テキストレーベルを用いて安定状態と異常状態またはクリティカル状態とを区別してもよい。例えば、患者が無呼吸Ａｐｎｅａ（呼吸困難）を起こしたことがある場合、人体テンプレート内の肺の３Ｄ画像に、無呼吸Ａｐｎｅａを表すＡの点滅文字をスーパーインポーズする。
【００２３】
図３のａ，ｂの３Ｄ画像は生理学信号として呼吸数を用いており、その時系列信号の診断を表しているが、本発明はこれに限定されず、血圧、血中酸素飽和度、心拍数など、種々の生理学信号に適用可能である。また、呼吸数がきわめてクリティカルであると考えられる場合、肺の３Ｄ画像を含む解剖学的ビジュアルインジケータに加えて、可聴警報を出力することもできる。
【００２４】
本発明の別の実施例によれば、生理学信号が血圧信号である場合、血管構造の３Ｄ画像が人体テンプレート上に表示される。患者の血圧が安定しているとき、血管構造の３Ｄ画像は安定状態を示す色で表示される。血圧が異常（過度の高血圧または過度の低血圧）であるときや、異常が予測されるときには、血管構造の３Ｄ画像の色は異常状態または異常となりつつある状態を示す色へ変更される。前述のケースと同様に色を点滅させてユーザに視覚的手がかりを与えることもできるし、低血圧と高血圧とで異なる色を用いることもできる。また、血圧がきわめてクリティカルであると考えられる場合、血管構造の３Ｄ画像を含む解剖学的ビジュアルインジケータに加えて、可聴警報を出力することもできる。血管構造のテクスチャを変更して安定状態と異常状態またはクリティカル状態とを区別してもよい。例えば、血圧が安定しているときには血管構造の３Ｄ画像を中空的に表示し、血圧が高低しているときにはハッチングパターンで表示する。テキストレーベルを用いて正常血圧と異常血圧とを区別することもできる。例えば、高血圧を表す点滅文字Ｈまたは低血圧を表す点滅文字Ｌを血管構造の３Ｄ画像にスーパーインポーズする。
【００２５】
本発明の別の実施例によれば、生理学信号が血中酸素飽和度信号である場合、皮膚の３Ｄ画像が人体テンプレート上に表示される。種々の生理学信号の診断が１つの人体テンプレート上に表示されるため、皮膚の３Ｄ画像は他の解剖学的構造が見えなくならないよう透明に表示される。患者の血中酸素飽和度が安定しているとき、皮膚の３Ｄ画像は安定状態を示す色で表示される。血中酸素飽和度が異常（過度に低いまたはひどく変動する）であるときや、異常が予測されるときには、皮膚の３Ｄ画像の色は異常状態または異常となりつつある状態を示す色へ変化する。例えば、安定した血中酸素飽和度を示す色を赤、異常な血中酸素飽和度を示す色を青とし、前述のケースと同様に色を点滅させてユーザに視覚的手がかりを与えることもできる。血中酸素飽和度が低いときと血中酸素飽和度が大幅に変動するときとで異なる色を用いることもできる。また、血中酸素飽和度がきわめてクリティカルであると考えられる場合、皮膚の解剖学的ビジュアルインジケータに加えて、可聴警報を出力することもできる。テクスチャおよびテキストレーベルを用いて安定状態と異常状態またはクリティカル状態とを区別してもよい。
【００２６】
本発明の別の実施例によれば、生理学信号が心拍数信号である場合、心臓の３Ｄ画像が人体テンプレート上に表示される。患者の心拍数が安定しているとき、心臓の３Ｄ画像は安定状態を示す色で表示される。心拍数が異常（過度に高いまたは過度に低い）であるときや、異常が予測されるときには、心臓の３Ｄ画像の色は異常状態または異常となりつつある状態を示す色へ変化する。前述のケースと同様に色を点滅させてユーザに視覚的手がかりを与えることもできるし、低い心拍数と高い心拍数とで異なる色を用いることもできる。また、心拍数がきわめてクリティカルであると考えられる場合、心臓の解剖学的ビジュアルインジケータに加えて、可聴警報を出力することもできる。テクスチャを用いて安定状態と異常状態またはクリティカル状態とを区別してもよい。例えば、心拍数が安定しているときには心臓の３Ｄ画像を透明に表示し、心拍数が高低しているときにはハッチングパターンで表示する。テキストレーベルを用いて正常心拍数と異常心拍数とを区別することもできる。例えば、高心拍数を表す点滅文字Ｈまたは低心拍数を表す点滅文字Ｌを心臓の３Ｄ画像にスーパーインポーズする。
【００２７】
複数の生理学信号を複数のチャネルで検討する場合、図３のａ，ｂに示されている人体テンプレートは前述の各実施例の全ての解剖学的構造、つまり呼吸数に対する肺、血圧に対する血管構造、血中酸素飽和度に対する皮膚、心拍数に対する心臓の全てを同時に表示することができる。また人体テンプレートはこれらの生理学信号の表示に限定されず、多数の生理学信号の診断を種々の解剖学的構造によって表すことができる。例えば脳波信号（ＥＥＧ信号）を脳の画像によって表すことができる。
【００２８】
図４には本発明の複数の生理学信号のビジュアライゼーション装置が示されている。
【００２９】
図４によれば、まず、各生理学信号が患者４０１から時系列信号形成ユニット４０２へ送信される。そこで各生理学信号から各時系列信号が形成され、患者状況分析ユニット４０３へ送信される。各患者状況データはディスプレイユニット４０４へ送信され、３Ｄ人体テンプレート上の３Ｄ解剖学的構造として表示される。３Ｄ解剖学的構造は相応の生理学信号のいずれかを表現している。３Ｄ解剖学的構造は、患者状況データがクリティカル状態を示すときに、周期的に色または輝度を変化させる。患者状況データが安定状態を示す場合には、３Ｄ解剖学的構造は一定の色で表示される。ビジュアライゼーション装置はさらに、患者状況データがきわめてクリティカルな状態を示す場合に可聴警報を出力するアラームユニットを備えていてもよい。
【００３０】
図５には本発明の方法を用いたＩＣＵモニタリングシステムのグラフィカルユーザインタフェースが示されている。図６には図５のグラフィカルユーザインタフェースのサーチイベント機能が示されている。
【００３１】
図５によれば、グラフィカルユーザインタフェース５００は、複数の時系列信号のビジュアライゼーションを結合する時系列プロットセクション５０１と、複数の患者状況のビジュアライゼーションを結合する３Ｄ解剖学的ビジュアライゼーションセクション５０２を有する。グラフィカルユーザインタフェース５００の上部には、複数のレベルの解像度によりクリティカル状態のオーバービューが示されている。グラフィカルユーザインタフェース５００の上部左方に位置する２４時間オーバービューセクション５０４には過去２４時間の患者の健康状態がまとめられている。グラフィカルユーザインタフェース５００の上部右方に位置する最新時間オーバービューセクション５０５には最新６０分間の患者の健康状態がまとめられている。最新時間オーバービューセクション５０５のすぐ下に位置するセグメントオーバービューセクション５０６には最新時間オーバービューセクション５０５の所定のセグメントに対する患者の健康状態がまとめられている。
【００３２】
グラフィカルユーザインタフェース５００の中央部左方に位置する３Ｄ解剖学的ビジュアライゼーションセクション５０２は人体テンプレートの３Ｄビジュアライゼーションを含む。人体テンプレートは患者の複数の生理学信号のビジュアライゼーション情報をサポートする。グラフィカルユーザインタフェース５００の中央部の最も大きな領域は時系列プロットセクション５０１に割り当てられており、ここから最も詳細な情報、例えば心拍数、呼吸数、血中酸素飽和度、収縮期血圧、拡張期血圧、平均血圧などの情報が得られる。ここでのＩＣＵモニタリングシステムによれば、複数の信号チャネルを同期して一緒に時系列プロットセクション５０１に表示可能であり、チャネル間の関係または異なるチャネルの同時変化などを識別することができる。各チャネルは相応の生理学信号から形成された１つの時系列信号を表す。
【００３３】
ユーザとＩＣＵモニタリングシステムとのインタラクションのシナリオはユーザが当該のシステムでの作業にどれだけの時間を費やすことができるかによって定まる。例として、或る医師がシフトの開始時に過去２４時間において患者状況がどのように変化したかを確認しようとするケースを考察する。２４時間オーバービューセクション５０４により、この医師は、過去２４時間にわたるデータを検討する必要があるか否かを知ることができる。図６によれば、この医師はサーチイベントオプション５０７を用いて効率的に当該のＩＣＵモニタリングシステムのデータベース内に記憶された警報を調べることができる。特定の生理学信号に対して発生された警報はテーブルとして記憶され、医師はこれをブラウジングすることができる。この医師が或る警報を選択した場合、選択された警報は、警報発生時の患者状況に関するデータや自動的に書き込まれた注釈とともに、中央ウィンドウに現れる。自動的に書き込まれた注釈とはＩＣＵモニタリングシステムが当該のイベントをクリティカルと分類した理由の記述である。警報が１つしかなければ、これは直接に表示される。ここで、ＩＣＵモニタリングシステムとのインタラクション時間をあまり多く持てないユーザは、手早く、患者状況がクリティカルであるか否か、またはクリティカル状態に近づきつつあるか否かを判別することができる。
【００３４】
こうしたＩＣＵモニタリングシステムにより、ユーザはいちいち時系列データを検討したりテキストレーベルを読んだりすることなく、患者の現在状況または陥りつつある状況を迅速に確認することができる。また、きわめてクリティカルな状況が起こった場合には可聴警報が形成され、システムのユーザに報知される。
【００３５】
ユーザとのインタラクションは全て記録可能である。ユーザは生理学信号およびクリティカルイベントの注釈をデータベースに記憶させることができる。ＩＣＵモニタリングシステムが患者記録を含む構造化されたレポートを自動作成するように構成してもよい。
【００３６】
以上のように本発明を図示の実施例に則して説明したが、これらは例示に過ぎず、本発明を限定するものではないと理解されたい。当該分野の技術者であれば、特許請求の範囲に規定された本発明の範囲内で実施例の種々の変更が可能である。
【図面の簡単な説明】
【００３７】
【図１】従来のＩＣＵモニタリングシステムを示す図である。
【図２】本発明の生理学信号の解剖学的ビジュアライゼーション方法のフローチャートである。
【図３】呼吸数としての生理学信号の３Ｄ解剖学的ビジュアライゼーションである。
【図４】本発明の複数の生理学信号のビジュアライゼーション装置を示す図である。
【図５】本発明の方法にしたがって動作するＩＣＵモニタリングシステムのグラフィカルユーザインタフェースを示す図である。
【図６】図５のグラフィカルユーザインタフェースのサーチイベント機能を示す図である。
【符号の説明】
【００３８】
４０１  患者、  ４０２  時系列信号形成ユニット、  ４０３  患者状況分析ユニット、  ４０４  ディスプレイユニット、  ５００  グラフィカルユーザインタフェース、  ５０１  時系列プロットセクション、  ５０２  ３Ｄ解剖学的ビジュアライゼーションセクション、  ５０４  ２４時間オーバービューセクション、  ５０５  最新時間オーバービューセクション、  ５０６  セグメントオーバービューセクション、  ５０７  サーチイベントオプション
【図２】
2007021213.tif 000003
【図４】
2007021213.tif 000004
【図１】
2007021213.tif 000005
【図３】
2007021213.tif 000006
【図５】
2007021213.tif 000007
【図６】
2007021213.tif 000008